(57)【要約】【課題】ユーザーの負担を軽減し、かつ、ユーザーの意図に沿った補完処理が行える録画再生装置を得る。【解決手段】仮削除制御部３８は、通常保存領域４３に保存されている録画番組の再生終了時に、実質的に全体再生がなされたとする番組全体再生条件を満足した場合に、その録画番組を通常保存領域４３から一時保存領域４１に移動させる仮削除処理を実行する。自動削除制御部３７は、記憶部４における通常保存領域４３の録画残量が残量閾値を下回った時に、一時保存領域４１に保存されている録画番組を削除優先順位に従い選択的に削除する完全削除処理を実行する。【選択図】図１
2019133728.tif 000002
【特許請求の範囲】
【請求項１】
通常保存領域及び一時保存領域に分類された共通記憶領域を有する記憶部と、
番組を録画して前記通常保存領域に保存する番組録画部と、
遠隔操作機器からの外部入力信号を受信し、受信した外部入力信号が指示する内容を外部指示情報として出力する受信部と、
前記通常保存領域に保存されている録画番組の再生終了時に、全体再生がなされたか否かを判定するための番組全体再生条件を満足した場合に、その録画番組を前記通常保存領域から前記一時保存領域に移動させる仮削除処理を実行する仮削除制御部と、
前記外部指示情報を受け、前記外部指示情報が、前記一時保存領域に保存されている録画番組を前記通常保存領域に移動させる番組回復処理の実行を指示するとき、前記外部指示情報の指示に従い前記番組回復処理を実行する番組回復制御部と、
前記記憶部における前記通常保存領域の録画残量が残量閾値を下回った時に、前記一時保存領域に保存されている録画番組のうち、削除優先順位に従い選択された完全削除対象の録画番組を削除する完全削除処理を実行する自動削除制御部とを備える、
録画再生装置。
【請求項２】
請求項１記載の録画再生装置であって、
前記仮削除制御部は、前記外部指示情報を受け、
前記通常保存領域に保存されている録画番組の再生終了時に、前記番組全体再生条件を満足した場合に、ユーザーに前記遠隔操作機器の使用機会を与えた後、前記外部指示情報が実行許可を指示することを実行条件として、前記仮削除処理を実行する、
録画再生装置。
【請求項３】
請求項２記載の録画再生装置であって、
前記通常保存領域に保存されている録画番組は削除禁止番組として選択的に指定することが可能であり、
前記仮削除制御部は、前記通常保存領域に保存されている録画番組が削除禁止番組の場合、前記仮削除処理を実行しない、
録画再生装置。
【請求項４】
請求項３記載の録画再生装置であって、
前記仮削除制御部は、
前記通常保存領域に保存されている録画番組の再生終了時に、前記番組全体再生条件を満足した場合に、ユーザーに前記遠隔操作機器の使用機会を与えた後、前記外部指示情報が実行禁止を指示した場合、前記仮削除処理を実行することなく、再生した録画番組を削除禁止番組に設定する、
録画再生装置。
【請求項５】
請求項１から請求項４のうち、いずれか１項に記載の録画再生装置であって、
前記削除優先順位は、前記一時保存領域に格納された録画番組に関し、録画した日時が古い番組順に録画番組を序列した順位である、
録画再生装置。
【請求項６】
請求項１から請求項５のうち、いずれか１項に記載の録画再生装置であって、
前記記憶部と独立して設けられた補助記録媒体をさらに備え、
前記自動削除制御部は、
前記完全削除処理の実行に先がけて完全削除対象の録画番組を前記補助記録媒体に転送する削除番組事前退避処理を実行する、
録画再生装置。
【請求項７】
請求項１から請求項６のうち、いずれか１項に記載の録画再生装置を内蔵する、
テレビジョン受信機。
【発明の詳細な説明】
【技術分野】
【０００１】
この発明は、ハードディスク等の記録媒体を持ち、放送番組を録画及び再生する機能を有した録画再生装置並びに当該録画再生装置を内蔵するテレビジョン受信機に関する。
【背景技術】
【０００２】
昨今、ハードディスク（以下、「ＨＤＤ」と略記する場合あり）等の記録媒体を内蔵したレコーダや、ＨＤＤを内蔵したテレビジョン受信機（以下、「テレビ」と略記する場合あり）において、内蔵される記録媒体の容量が年々大きくなっている。
【０００３】
一方、多チャンネルを同時に録画する機能を持つレコーダやテレビが増えてきており、記録媒体の使用容量が増加傾向にある。このため、内蔵される記憶媒体の容量が大きくなっているにも関わらず、録画残量が足りなくなる現象が起こり易い使用環境となっている。
【０００４】
上記使用環境を鑑み、例えば、特許文献１では、記録媒体の残り容量がある一定量以下になったときに、一度も再生されていない番組でかつ、録画した日時から一定期間以上経っている番組を消去してもいいかどうかを問い合わせるメッセージを表示させ、ユーザー操作に従い録画番組を消去する番組消去促進機能を有する録画再生装置が開示されている。
【０００５】
上記録画再生装置は番組消去促進機能を有するため、不要な番組を簡単な操作で消去することが可能となる。その結果、ユーザーは、録画再生装置内の記憶媒体の残量が足りなくなったときに、数多く記録された録画番組の中から、不要な番組を選んで消去するといった煩わしいユーザー操作から解放される。
【先行技術文献】
【特許文献】
【０００６】
【特許文献１】特開２００６−１０７５７１号公報
【発明の概要】
【発明が解決しようとする課題】
【０００７】
しかしながら、特許文献１に開示の従来の録画再生装置では、例えば、第１及び第２のユーザーを含む複数人で共有する場合、第１のユーザー録画した番組を、現在操作している第２のユーザーが不要と誤判断して、誤って削除してしまう恐れがある。
【０００８】
また、同一人が行うユーザー操作においても、従来の録画再生装置では、必要な番組を誤って削除してしまう可能性があり、その場合、削除された番組は録画再生装置上では回復させることができないため、二度と視聴することができなくなる。
【０００９】
このように、従来の録画生成装置における番組消去促進機能はユーザーの誤操作に完全対応できていないという問題点があった。
【００１０】
この発明は上記問題点を解決するためになされたもので、ユーザーの負担を軽減し、かつ、ユーザーの意図に沿った補完処理が行える録画再生装置を得ることを目的とする。
【課題を解決するための手段】
【００１１】
この発明に係る請求項１記載の録画再生装置は、通常保存領域及び一時保存領域に分類された共通記憶領域を有する記憶部と、番組を録画して前記通常保存領域に保存する番組録画部と、遠隔操作機器からの外部入力信号を受信し、受信した外部入力信号が指示する内容を外部指示情報として出力する受信部と、前記通常保存領域に保存されている録画番組の再生終了時に、全体再生がなされたか否かを判定するための番組全体再生条件を満足した場合に、その録画番組を前記通常保存領域から前記一時保存領域に移動させる仮削除処理を実行する仮削除制御部と、前記外部指示情報を受け、前記外部指示情報が、前記一時保存領域に保存されている録画番組を前記通常保存領域に移動させる番組回復処理の実行を指示するとき、前記外部指示情報の指示に従い前記番組回復処理を実行する番組回復制御部と、前記記憶部における前記通常保存領域の録画残量が残量閾値を下回った時に、前記一時保存領域に保存されている録画番組のうち、削除優先順位に従い選択された完全削除対象の録画番組を削除する完全削除処理を実行する自動削除制御部とを備える。
【発明の効果】
【００１２】
請求項１記載の本願発明である録画再生装置は、仮削除制御部が実行する仮削除処理によって、ユーザーに負担を強いることなく、番組全体再生条件を満足した再生済みの録画番組を通常保存領域から一時保存領域に移動させることができる。
【００１３】
さらに、請求項１記載の録画再生装置は、自動削除制御部が実行する完全削除処理によって、一時保存領域に保存された録画番組のうち、削除優先順位に従い選択された完全削除対象の録画番組を重要性の低い再生済みの録画番組として自動的に削除している。
【００１４】
したがって、請求項１記載の録画再生装置は、ユーザーに負担を強いることなく、一時保存領域の総容量を減少させた分、通常保存領域の総容量を増加させることができ、通常保存領域の録画残量を必要容量分、自動的に確保することができる。
【００１５】
加えて、請求項１記載の録画再生装置は、番組回復制御部による番組回復処理によって、一時保存領域に保存されている録画番組のうち、重要性が高いと判断された録画番組を選択的に通常保存領域に戻すことができるため、ユーザーの意図に沿った録画番組の補完処理が行える。
【図面の簡単な説明】
【００１６】
【図１】実施の形態１である録画再生装置を有するテレビジョン受信機の構成を示すブロック図である。
【図２】実施の形態１の録画再生装置において仮削除制御部の制御下で実行される仮削除処理の実行制御内容を示すフローチャートである。
【図３】実施の形態１の録画再生装置の自動削除制御部の制御下で実行される完全削除処理の実行制御内容を示すフローチャートである。
【図４】実施の形態２である録画再生装置を有するテレビジョン受信機の構成を示すブロック図である。
【図５】実施の形態２の録画再生装置の自動削除制御部の制御下で実行される完全削除処理の実行制御内容を示すフローチャートである。
【発明を実施するための形態】
【００１７】
＜実施の形態１＞
（構成）
図１は、実施の形態１である録画再生装置１００を有するテレビジョン受信機２１の構成を示すブロック図である。同図に示すように、テレビジョン受信機２１は録画再生装置１００、アンテナ１、リモコン１０、映像音声出力部６の組合せにより構成される。なお、遠隔操作機器であるリモコン１０を用いることにより、ユーザーは録画再生装置１００に対する遠隔操作が可能である。
【００１８】
なお、映像音声出力部６は、例えば、画像表示用の液晶パネル、音声出力用のスピーカーの組合せにより構成される。したがって、単体構成の録画再生装置１００に関し映像音声出力部６は必須ではない。また、映像音声出力部６の代わりに録画再生装置１００内に液晶表示部等の簡易な映像出力部を設けても良い。
【００１９】
図１に示すように、録画再生装置１００は、チューナー２、録画再生主要部３、受信した放送番組を録画番組として記録する記憶部４、及び不揮発性メモリ５を備えている。記憶部４は例えばＨＤＤ等の記録媒体で構成される。
【００２０】
録画再生主要部３は、第一デコード部３１、第二デコード部３２、記憶残量検出部３３、録画番組再生部３４、映像音声切替部３５、映像音声処理部３６、自動削除制御部３７、仮削除制御部３８、受信部５１、切替指示部５２及びＯＳＤ合成部５３を内部に有する。
【００２１】
アンテナ１から同軸ケーブル等を介して、デジタル放送信号を含んだＲＦ（Radio Frequency）信号が、チューナー２に入力される。チューナー２では入力されたＲＦ信号から必要な信号を抽出して、録画再生主要部３内の第一デコード部３１及び第二デコード部３２に送信する。
【００２２】
図１で示す構成では、チューナー２の出力数は２系統としているが、チューナー２の出力数はこれに限定されない。
【００２３】
チューナー２から受信した信号は録画再生主要部３に内蔵された第一デコード部３１、第二デコード部３２にて映像音声信号に復元される。第一デコード部３１は表示用に復元した映像音声信号を映像音声切替部３５に出力する。
【００２４】
一方、第二デコード部３２は第一デコード部３１と同様、表示用に復元した映像音声信号を映像音声切替部３５に出力する。
【００２５】
さらに、第二デコード部３２は、記録用に復元した映像音声信号を例えば放送番組単位に録画番組として通常保存領域４３に保存する番組録画部としても機能する。
【００２６】
通常保存領域４３は例えば録画番組をジャンル別にフォルダ分けしていた場合、全ジャンルのフォルダの集合体となる。
【００２７】
したがって、番組録画の際、チューナー２から受信したＲＦ信号が録画再生主要部３に内蔵された第二デコード部３２で記録用の映像音声信号に復元された後、記憶部４の通常保存領域４３に録画番組として記録される。
【００２８】
記憶部４の通常保存領域４３に保存された録画番組を再生する場合、録画番組再生部３４は通常保存領域４３に保存された録画番組の映像音声信号を表示用に復元し、復元した映像音声信号を映像音声切替部３５に出力している。
【００２９】
したがって、図１で示した録画再生主要部３は、映像音声信号のデコード部を３つ（第一デコード部３１、第二デコード部３２及び録画番組再生部３４）有しているが、デコード部の数はこれに限定されない。
【００３０】
映像音声切替部３５は、切替指示部５２の指示に従い、第一デコード部３１、第二デコード部３２及び録画番組再生部３４から得られる３つの映像音声信号のうち、一つの映像音声信号を選択映像音声信号として選択し、映像音声処理部３６に出力する。
【００３１】
なお、切替指示部５２の指示内容は例えば受信部５１から出力されるリモコン受信情報Ｄ５１に基づき設定される。
【００３２】
映像音声処理部３６は、入力された選択映像音声信号に対し、各種信号処理を実施して最終出力用映像音声信号に加工した後、映像音声出力部６にて、最終出力用映像音声信号に基づく映像表示及び音声出力が行われる。
【００３３】
自動削除制御部３７は、一時保存領域４１に保存されている録画番組を自動的に削除する自動削除処理を実行する。なお、自動削除処理の詳細については後述する。
【００３４】
受信部５１は、遠隔操作機器であるリモコン１０からの赤外線信号等の外部入力信号を受信し、受信した外部入力信号が指示する内容を外部指示情報であるリモコン受信情報Ｄ５１として出力する。
【００３５】
したがって、ユーザーがリモコン１０を利用したユーザー操作を行い、受信部５１から関連する構成部に、ユーザー操作内容に基づくリモコン受信情報Ｄ５１を出力させることにより、ユーザー操作に基づく種々の制御が可能となる。
【００３６】
例えば、リモコン受信情報Ｄ５１を第二デコード部３２に出力して録画内容を制御したり、自動削除制御部３７にリモコン受信情報Ｄ５１を出力することにより完全削除対象の録画番組を指定したりすることができる。
【００３７】
記憶部４は、例えば、ＨＤＤから成り、放送番組の他、放送番組に関する情報を記憶する。記憶部４は録画番組保存用の共通記憶領域を有し、共通記憶領域は一時保存領域４１及び通常保存領域４３に分類される。
【００３８】
記憶部４は、さらに、一時保存領域４１及び通常保存領域４３に保存された録画番組の管理用に録画番組関連情報を記憶する番組情報管理部４２を内部に有している。
【００３９】
一時保存領域４１は、通常保存領域４３から移動された録画番組のみを保存しており、総容量は通常保存領域４３から移動された録画番組が保存可能な必要最小限の容量に可変設定される。共通記憶領域に一時保存領域４１及び通常保存領域４３が設けられているため、一時保存領域４１の総容量が増加すると通常保存領域４３の総容量が減少し、一時保存領域４１の総容量が減少すると通常保存領域４３の総容量が増加することになる。すなわち、一時保存領域４１の総容量と通常保存領域４３の総容量とは負の相関関係を有する。
【００４０】
番組情報管理部４２は、記憶部４の一時保存領域４１あるいは通常保存領域４３に保存されている録画番組の録画された日時、録画時間、及び番組保護情報を含む録画番組関連情報を記憶している。また、番組情報管理部４２は、録画番組が最後に一時保存領域４１に移動された日時も録画番組関連情報として記憶するようにしても良い。
【００４１】
録画番組関連情報に含まれる番組保護情報は、録画番組毎に非保護／保護のいずれかが記憶されており、録画直後はいずれの録画番組も非保護と初期設定されるが、その後、リモコン１０を用いたユーザー操作によって、番組保護情報を適宜変更することが可能である。
【００４２】
例えば、リモコン１０を用いたユーザー操作によって、通常保存領域４３に保存された録画番組のいずれかを保護対象録画番組に指定した場合、仮削除制御部３８は保護対象録画番組を指示するリモコン受信情報Ｄ５１に基づき、記憶部４の番組情報管理部４２を制御して、保護対象録画番組に対応して「保護」が設定されるように、番組保護情報を変更する態様が考えられる。
【００４３】
通常保存領域４３に保存された録画番組のうち、「保護」が設定された録画番組が削除禁止番組となる。このように、通常保存領域４３に保存されている録画番組に対し、削除禁止番組として選択的に「保護」指定を行うことができる。
【００４４】
なお、番組保護情報が「保護」とされている場合、後述する仮削除処理対象から除外する以外に、当該録画番組の削除操作を一切受け付けないようにしてもよい。
【００４５】
記憶残量検出部３３は、記憶部４の容量の中で録画可能となる録画残量を検出する。すなわち、記憶残量検出部３３は、通常保存領域４３において新たに録画番組を保存可能な録画残量を検出する。通常保存領域４３の総容量は記憶部４の共通記憶領域の総容量から一時保存領域４１の総容量を差し引いた値となる。
【００４６】
不揮発性メモリ５は、記憶部４における通常保存領域４３の録画残量の閾値として、残量閾値を記憶している。不揮発性メモリ５は、ユーザーが録画番組を視聴し終わったかどうかを判定するための終了閾値をさらに記憶している。残量閾値と終了閾値はリモコン１０を利用したユーザー操作によって適宜変更できるようにしてもよい。
【００４７】
仮削除制御部３８は、リモコン受信情報Ｄ５１を受け、通常保存領域４３に保存されている録画番組の再生終了時に、実質的な全体再生がなされたか否かを判定するための番組全体再生条件を満足した場合に、その録画番組を通常保存領域４３から一時保存領域４１に移動させる仮削除処理を実行することができる。
【００４８】
番組全体再生条件とは以下のケース(1)及びケース(2)がある。
【００４９】
ケース(1)：録画番組の終端まで再生が行われたケース、
ケース(2)：録画番組の残り再生時間が「終了閾値」未満の状態で再生が停止されたケース、
番組全体条件は上述したケース(1)及びケース(2)のうちいずれか一方のケースを満足する条件を意味する。
【００５０】
なお、終了閾値は録画番組の実質内容と関連性がない広告放送等が録画番組の最後に記録されることを考慮して十分短い時間に設定される。したがって、ケース(1)及びケース(2)のいずれか一方を満足する場合は、再生された録画番組に関し実質的に全体再生がなされており、ユーザーが録画番組を視聴し終わったと推定することができる。
【００５１】
さらに、仮削除制御部３８は、リモコン受信情報Ｄ５１が、一時保存領域４１に保存されている録画番組を通常保存領域４３に復帰させること、すなわち、番組回復処理の実行を指示するとき、リモコン受信情報Ｄ５１の指示に従い、一時保存領域４１に保存されている録画番組を通常保存領域４３に移動させる番組回復処理を実行する。
【００５２】
例えば、リモコン１０を用いたユーザー操作により、一時保存領域４１に保存されている録画番組のリストを映像音声出力部６上で表示させた後、ユーザー操作によって番組回復処理対象の録画番組を選択する。その結果、ユーザーが選択した録画番組を番組回復処理対象として指示するリモコン受信情報Ｄ５１が受信部５１から出力される。この場合、リモコン受信情報Ｄ５１は番組回復処理の実行を指示する外部指示情報となる。
【００５３】
その結果、仮削除制御部３８はリモコン受信情報Ｄ５１の指示内容に沿って、番組回復処理を行うことができる。このように、仮削除制御部３８は番組回復制御部としても機能する。
【００５４】
自動削除制御部３７は、記憶部４における通常保存領域４３の録画残量が残量閾値を下回った時に、一時保存領域４１に保存されている録画番組のうち、削除優先順位に従い選択された完全削除対象の録画番組を削除する完全削除処理を実行することができる。
【００５５】
削除優先順位として、例えば、一時保存領域４１に保存された録画番組を録画時間の古い順に序列した順位が考えられる。
【００５６】
ＯＳＤ合成部５３は自動削除制御部３７から出力されるＯＳＤ情報Ｄ３８に基づく合成表示指示を映像音声処理部３６に与える。
【００５７】
（仮削除処理）
図２は、実施の形態１の録画再生装置１００において仮削除制御部３８の制御下で実行される仮削除処理の実行制御内容を示すフローチャートである。仮削除処理の実行制御は、再生対象の録画番組が再生され、当該録画番組の再生終了動作が発生した場合に開始される。
【００５８】
なお、再生開始、再生終了等の指示内容は、例えば、リモコン１０を用いたユーザー操作によって、外部入力信号を受信部５１に付与し、受信部５１からリモコン受信情報Ｄ５１を出力させ、録画番組再生部３４にリモコン受信情報Ｄ５１を付与することにより行える。
【００５９】
以下、図２を参照して仮削除制御部３８の制御下で実行される仮削除処理の実行制御内容を説明する。
【００６０】
まず、ステップＳ２１において、再生した録画番組の再生終了が、再生停止されることなく当該録画番組の終端まで再生されたことにより発生したか(Yes)、あるいは、ユーザー操作により終端に至ることなく再生停止されたか(No)が判定される。ステップＳ２１でＹｅｓの場合は上述したケース(1)を満足したと判断しステップＳ２３に移行し、Ｎｏの場合にステップＳ２２に移行する。
【００６１】
なお、仮削除制御部３８は録画番組再生部３４から再生した録画番組の再生終了が当該録画番組の終端まで再生されたか否かに関する情報を取得することができる。
【００６２】
ステップＳ２１でＮｏの場合に実行されるステップＳ２２において、録画番組の残り再生時間と、不揮発性メモリ５が有する終了閾値とが比較される。なお、録画番組の残り再生時間は、ユーザー操作により再生停止操作が行われた時点での再生時間を、記憶部４の番組情報管理部４２に録画番組関連情報そして記憶されている当該録画番組の録画時間から差し引くことにより算出できる。また、仮削除制御部３８は録画番組再生部３４から上記再生時間を得ることができる。
【００６３】
ステップＳ２２において、再生停止時の残り再生時間が終了閾値を下回っている場合(Yes)は、上述したケース(2)を満足したと判断しステップＳ２３に移行する。一方、ステップＳ２２で録画番組の残り再生時間が終了閾値を下回っていない場合(No)は、上述したケース(1)及びケース(2)のいずれにも該当しない、すなわち、番組全体再生条件を満足しないため、仮削除制御部３８は、ステップＳ２６の仮削除処理を行うことなく処理を終了する。
【００６４】
ステップＳ２１あるいはステップＳ２２でＹｅｓの場合に実行されるステップＳ２３において、通常保存領域４３に記憶されている録画番組の番組保護情報が番組情報管理部４２から確認され、再生した録画番組の番組保護情報が「非保護」である場合(Yes)はステップＳ２４に移行する。一方、ステップＳ２３で再生した録画番組の番組保護情報が「保護」である場合、再生した録画番組は削除禁止番組であるため、仮削除制御部３８は、ステップＳ２６の仮削除処理を行うことなく処理を終了する。
【００６５】
ステップＳ２３でＹｅｓの場合に実行されるステップＳ２４において、「再生した録画番組を削除しても良いか」を尋ねるメッセージ、削除を許可する旨の第１の選択肢、及び削除を許可しない旨の第２の選択肢を含むユーザー確認情報を映像音声出力部６上に表示し、ユーザーにリモコン１０の使用機会を与える。
【００６６】
なお、上記ユーザー確認情報の映像音声出力部６上での表示は、仮削除制御部３８から上記ユーザー確認情報の表示を指示するＯＳＤ情報Ｄ３８をＯＳＤ合成部５３に与え、ＯＳＤ合成部５３からＯＳＤ情報Ｄ３８に基づく合成表示指示を映像音声処理部３６に与えることにより行える。
【００６７】
また、図１では図示していないが、録画再生主要部３に簡易な内部映像出力部を設け、仮削除制御部３８が直接、当該内部映像出力部上に上記ユーザー確認情報を表示するようにしても良い。
【００６８】
ステップＳ２４でユーザーにリモコン１０に使用機会が与えられると、ユーザーはリモコン１０を用いたユーザー操作によって上記第１及び第２の選択肢のうちいずれかを選択することができる。
【００６９】
リモコン１０を用いたユーザー操作を終えた後、ステップＳ２５において、ユーザーが再生した録画番組の仮削除処理を許可する第１の選択肢の選択操作を行った場合(Yes)、ステップＳ２６に移行する。一方、ステップＳ２５において、ユーザーが再生した録画番組の仮削除処理を許可しない第２の選択肢の選択操作を行った場合(No)、ステップＳ２７に移行する。
【００７０】
なお、ステップＳ２５でＹｅｓの場合、受信部５１は仮削除処理の実行許可を指示するリモコン受信情報Ｄ５１を出力し、ステップＳ２５でＮｏの場合、受信部５１は仮削除処理の実行禁止を指示するリモコン受信情報Ｄ５１を出力することになる。
【００７１】
ステップＳ２５でＹｅｓの場合に実行されるステップＳ２６において、仮削除制御部３８は、当該録画番組を通常保存領域４３から一時保存領域４１に移動させる仮削除処理を実行して処理を終了する。
【００７２】
すなわち、ステップＳ２６の仮削除処理は、リモコン受信情報Ｄ５１が仮削除処理の実行許可を指示することを実行条件としている。
【００７３】
なお、一時保存領域４１の総容量は仮削除処理対象の録画番組が保存可能な必要最小限の容量に可変設定されるため、仮削除処理が実行されると、仮削除処理対象の録画番組に必要容量分、一時保存領域４１の総容量は増加し、通常保存領域４３の総容量は減少することになる。
【００７４】
ステップＳ２５でＮｏの場合に実行されるステップＳ２７において、仮削除制御部３８は、記憶部４内の番組情報管理部４２を制御して、当該録画番組に関し「非保護」から「保護」になるように番組保護情報を書換え、ステップＳ２６の仮削除処理を実行することなく処理を終了する。
【００７５】
すなわち、リモコン受信情報Ｄ５１が仮削除処理の実行禁止を指示する場合、仮削除処理が実行されることなく、ステップＳ２７によって、再生した録画番組が削除禁止番組に自動的に設定されることになる。
【００７６】
仮削除制御部３８はステップＳ２１〜Ｓ２７からなる仮削除処理に関する一連の制御動作を実行することにより、ケース(1)及びケース(2)のいずれか一方に該当することにより番組全体再生条件を満足するユーザーの視聴がなされた録画番組に対し、簡単な操作を経て仮削除処理を実行することができる。一時保存領域４１に保存された録画番組は後述する自動削除制御部３７による完全削除処理によって削除される対象となる。
【００７７】
したがって、ユーザーが録画再生装置１００の通常保存領域４３に保存されている録画番組の整理を行う際、保存されている録画番組を示す録画リストを映像音声出力部６上に表示させ、その中から所望の録画番組を選択し、リモコン１０を用いた削除操作を行うという、比較的煩雑な操作を実行する必要性を無くすことができる。
【００７８】
また、記憶部４の通常保存領域４３に保存されている録画番組のうち、繰り返し視聴することを望む録画番組に対し、その録画番組に関する番組保護情報を「保護」に書き換えられている場合、ステップＳ２３で必ずＮｏとなるため、ステップＳ２４及びステップＳ２５におけるユーザーによる確認操作を強いることなく、確実にステップＳ２６の仮削除処理を回避することができる。
【００７９】
また、録画番組を再生して視聴を開始するまでは繰り返し視聴するか否かが未定であった録画番組であっても、番組を視聴しているうちに再度の視聴を望む場合がある。この場合、ユーザーは、ステップＳ２４でリモコン１０の使用機会が与えられた際、リモコン１０を用いたユーザー操作によって、録画番組の削除を許可しない第２の選択肢を選択することより、再生した録画番組に関する番組保護情報を「非保護」から「保護」に書き換えることができる。
【００８０】
すなわち、番組保護情報の書き換えに関しても、ユーザーが録画リストから所望の番組を選択し、番組保護情報の書き換えを実行する煩雑な手間を省略することができる。
【００８１】
（完全削除処理）
図３は、実施の形態１の録画再生装置１００の自動削除制御部３７の制御下で実行される完全削除処理の実行制御内容を示すフローチャートである。
【００８２】
図３のステップＳ３１〜Ｓ３３で示す一連の制御内容は自動削除制御部３７の制御下で実行される。以下、図３を参照して完全削除処理の実行制御内容の詳細を説明する。
【００８３】
まず、ステップＳ３１において、記憶残量検出部３３で検出した通常保存領域４３の録画残量と、不揮発性メモリ５が記憶する残量閾値とが比較される。通常保存領域４３の録画残量が残量閾値を下回った場合(Yes)、ステップＳ３２に移行する。一方、ステップＳ３１において、通常保存領域４３の録画残量が残量閾値を下回っていない場合(No)、完全削除処理を実行する必要性は低いと判断し、自動削除制御部３７はステップＳ３３の完全削除処理を実行することなく処理を終了する。
【００８４】
ステップＳ３１でＹｅｓの場合に実行されるステップＳ３２において、記憶部４内の一時保存領域４１に録画番組が保存されているか否かが判断される。そして、一時保存領域４１に録画番組が保存されている場合(Yes)、ステップＳ３３に移行する。ステップＳ３２で録画番組が一時保存領域４１に保存されていない場合(No)、完全削除処理が実行不能であるため、自動削除制御部３７はステップＳ３３の完全削除処理を実行することなく処理を終了する。
【００８５】
ステップＳ３２でＹｅｓの場合に実行されるステップＳ３３において、自動削除制御部３７は一時保存領域４１に保存されている録画番組のうち、削除優先順位に従い選択された完全削除対象の録画番組を削除する完全削除処理を実行する。
【００８６】
なお、前述したように、一時保存領域４１の総容量は仮削除処理対象の録画番組が保存可能な必要最小限の容量に可変設定されるため、完全削除対象の録画番組を一時保存領域４１から削除した分、一時保存領域４１の総容量は減少することになる。その結果、通常保存領域４３の総容量が増加する分、通常保存領域４３の録画残量が増加する。
【００８７】
削除優先順位は、例えば、録画した日時が古い順に録画番組を序列する順位、あるいは通常保存領域４３から一時保存領域４１に移動された日時が古い順に録画番組を序列する順位が考えられる。また、削除優先順位を録画時間の長い順に録画番組を序列する順位としてもよい。
【００８８】
また、削除優先順位を複数種準備しておき、ユーザーが自身の視聴スタイルに合わせてリモコン１０を用いたユーザー操作を行い、複数種の削除優先順位から一の削除優先順位を選択できるようにしてもよい。
【００８９】
ステップＳ３３の完全削除処理が終了すると再びステップＳ３１へ戻り、ステップＳ３１にて通常保存領域４３の録画残量が残量閾値を上回るか、一時保存領域４１に保存されている録画番組が無くなるまで、ステップＳ３１〜Ｓ３３の処理が繰り返される。
【００９０】
（効果）
実施の形態１の録画再生装置１００は、仮削除制御部３８が実行する仮削除処理によって、ユーザーに負担を強いることなく、ケース(1)及びケース(2)の一方に該当した、すなわち、番組全体再生条件を満足した再生済みの録画番組を通常保存領域４３から一時保存領域４１へと移動させることができる。
【００９１】
さらに、実施の形態１の録画再生装置１００は、自動削除制御部３７が実行する完全削除処理によって、一時保存領域４１に保存された録画番組のうち、削除優先順位に従い選択された完全削除対象の録画番組を重要性の低い再生済みの録画番組として自動的に記憶部４から完全削除している。
【００９２】
したがって、実施の形態１の録画再生装置１００は、ユーザーに負担を強いることなく、一時保存領域４１の総容量を減少させた分、通常保存領域４３の総容量を増加させることができ、通常保存領域４３の録画残量を必要容量分、自動的に確保することができる。
【００９３】
加えて、実施の形態１の録画再生装置１００は、番組回復制御部として機能する仮削除制御部３８の制御下で実行される番組回復処理によって、一時保存領域４１に保存されている録画番組のうち、ユーザーによって重要性が高いと判断された録画番組を選択的に通常保存領域４３に戻すことができるため、ユーザーの意図に沿った補完処理が行える。
【００９４】
仮削除処理が実行され一時保存領域４１に保存された録画番組は記憶部４から完全削除されていないため、ユーザーの誤った操作等で仮削除処理が施された録画番組を一時保存領域４１から通常保存領域４３に再び戻して再生することができる。
【００９５】
さらに、図２に示すステップＳ２４及びステップＳ２５にて、ステップＳ２６における仮削除処理の実行の最終判断をユーザーに委ねることにより、ユーザーの意思を反映した仮削除処理を行うことができる。
【００９６】
さらに、ステップＳ２３による分岐処理によって、録画保護情報として「保護」が設定され、削除禁止番組として指定された録画番組に対し、ステップＳ２６の仮削除処理は実行されることは無いため、重要性の高い録画番組が一時保存領域４１に誤って移動されることを確実に回避することができる。
【００９７】
加えて、ステップＳ２４でユーザーにリモコン１０の使用機会が与えられた後、リモコン１０を用いたユーザー操作によって、実行禁止を指示するリモコン受信情報Ｄ５１が出力された場合、ステップＳ２７において、仮削除処理の実行禁止が指示された録画番組が削除禁止番組に自動的に設定される。したがって、実施の形態１の録画再生装置１００は、ユーザーの意思を反映させて重要度の高い録画番組を自動的に削除禁止番組に設定することができる。
【００９８】
また、ステップＳ３３に用いる削除優先順位として、録画した日時が古い順に録画番組を序列する順位とすることにより、録画日時が古く重要性が低いと判断される録画番組から自動的に完全削除することができる。
【００９９】
実施の形態１のテレビジョン受信機２１は録画再生装置１００を内蔵しているため、ユーザーに負担を強いることなく、通常保存領域４３の録画残量を必要容量分、確実に確保し、かつ、ユーザーの意図に沿った補完処理として番組回復処理が行える効果を奏する。
【０１００】
また、一時保存領域４１に保存された録画番組を、リモコン１０を用いた手動によるユーザー操作によって完全削除できるようにしても良い。この場合、ユーザー操作によって一時保存領域４１に保存された録画番組をユーザーの意思に沿って完全削除することができる。
【０１０１】
同様にして、通常保存領域４３に保存された録画番組を、リモコン１０を用いた手動によるユーザー操作によって仮削除できるようにしても良い。この場合、ユーザー操作によって通常保存領域４３に保存された録画番組をユーザーの意思に沿って一時保存領域４１に移動させることができる。
【０１０２】
例えば、リモコン１０を用いたユーザー操作によって、完全削除対象の録画番組を指示するリモコン受信情報Ｄ５１を出力させ、自動削除制御部３７によってユーザー指定の完全削除対象の録画番組の完全削除処理を行うことができる。
【０１０３】
同様にして、リモコン１０を用いたユーザー操作によって、仮削除対象の録画番組を指示するリモコン受信情報Ｄ５１を出力させ、仮削除制御部３８によってユーザー指定の仮削除対象の録画番組を通常保存領域４３から一時保存領域４１に移動させることができる。この際、番組保護情報が「非保護」の録画番組のみを仮削除対象に設定可能とする制約を設けても良い。
【０１０４】
図３で示す自動削除処理の実行制御時に一時保存領域４１に録画番組が保存されていない場合、自動的に通常保存領域４３の録画容量を増加して確保することができない。しかしながら、図２で示す仮削除処理の制御フローにて、ユーザーにリモコン１０を操作する機会を与え、再生した録画番組の一時保存領域４１に移動させる仮削除処理を促し、一時保存領域４１に保存される頻度を高めている。したがって、自動削除制御部３７は一時保存領域４１に保存された録画番組の完全削除処理を効果的に行い、通常保存領域４３の録画残量を自動的に増加させることができる。
【０１０５】
＜実施の形態２＞
（構成）
図４は、実施の形態２である録画再生装置２００を有するテレビジョン受信機２２の構成を示すブロック図である。同図に示すように、テレビジョン受信機２２は録画再生装置２００、アンテナ１、リモコン１０及び映像音声出力部６の組合せにより構成される。なお、リモコン１０は録画再生装置２００に対する遠隔操作が可能である。
【０１０６】
なお、映像音声出力部６は、例えば、画像表示用の液晶パネル、音声出力用のスピーカーの組合せにより構成される。したがって、単体構成の録画再生装置２００に関し映像音声出力部６は必須ではない。
【０１０７】
実施の形態２の録画再生装置２００は、構成部として光学ドライブ７が追加され、録画再生主要部３内に新たに光ドライブ制御部７１が追加された、自動削除制御部３７が自動削除制御部３７Ｂに置き換えられた点が、実施の形態１の録画再生装置１００からの主要変更箇所である。
【０１０８】
映像音声切替部３５は、切替指示部５２の指示に従い、第一デコード部３１、第二デコード部３２、録画番組再生部３４及び光ドライブ制御部７１から得られる４つの映像音声信号のうち、一つの映像音声信号を選択映像音声信号として選択し、映像音声処理部３６に出力する。
【０１０９】
光学ドライブ７は、ブルーレイディスクやＤＶＤといった、取り換え可能な補助記録媒体である光ディスクに対し再生、書き込みを行う。すなわち、実施の形態２の録画再生装置２００では、記憶部４とは独立して存在する補助記録媒体として光ディスクを有している。
【０１１０】
自動削除制御部３７Ｂは、実施の形態１の自動削除制御部３７の機能に加え、光ドライブ制御部７１に制御信号ＳＣ３７を付与し、制御信号ＳＣ３７によって光ドライブ制御部７１の光学ドライブ７に対する制御内容を指示することができる。
【０１１１】
光ドライブ制御部７１は、制御信号ＳＣ３７に従い、光学ドライブ７に挿入された光ディスクに対し、光ディスクに記録された映像の再生や、記憶部４の一時保存領域４１に保存されている録画番組の光ディスクへの書き込みを行う。
【０１１２】
また、光学ドライブ７内の光ディスクに保存された録画番組を再生する場合、光ドライブ制御部７１は光ディスクに保存された録画番組の映像音声信号を表示用に復元し、復元した映像音声信号を映像音声切替部３５に出力している。
【０１１３】
また、自動削除制御部３７Ｂは、光学ドライブ７に装着されている光ディスクに関する種々の情報を光ドライブ制御部７１から出力される光ディスク情報Ｄ７１より取得している。光ディスク情報Ｄ７１には光学ドライブ７に装着されている光ディスクが書き込み可能であるか、書き込み可能容量等を示す情報を含まれる。
【０１１４】
なお、他の構成部は図１で示した実施の形態１の録画再生装置１００と同様であるため、同一符号を付して説明を適宜省略する。
【０１１５】
仮削除制御部３８の制御下で行う仮削除処理の実行制御内容は図２に示すように、実施の形態１と同様に行われる。
【０１１６】
（完全削除処理）
図５は、実施の形態２の録画再生装置２００の自動削除制御部３７Ｂの制御下で実行される完全削除処理の実行制御内容を示すフローチャートである。
【０１１７】
図５のステップＳ５１〜Ｓ５５で示す一連の制御内容は自動削除制御部３７Ｂの制御下で実行される。以下、図５を参照して完全削除処理の実行制御内容の詳細を説明する。
【０１１８】
まず、ステップＳ５１において、記憶残量検出部３３で検出した通常保存領域４３の録画残量と、不揮発性メモリ５が記憶する残量閾値とが比較される。通常保存領域４３の録画残量が残量閾値を下回った場合(Yes)、ステップＳ５２に移行する。一方、ステップＳ５１において、通常保存領域４３の録画残量が残量閾値を下回っていない場合(No)、自動削除制御部３７ＢはステップＳ５３の完全削除処理を実行することなく処理を終了する。
【０１１９】
ステップＳ５１でＹｅｓの場合に実行されるステップＳ５２において、記憶部４内の一時保存領域４１に録画番組が保存されているか否かが判断される。そして、一時保存領域４１に録画番組が保存されている場合(Yes)、ステップＳ５３に移行する。ステップＳ５２で録画番組が一時保存領域４１に保存されていない場合(No)、自動削除制御部３７ＢはステップＳ５３の完全削除処理が実行することなく処理を終了する。
【０１２０】
ステップＳ５２でＹｅｓの場合に実行されるステップＳ５３において、自動削除制御部３７Ｂは、光ディスク情報Ｄ７１に基づき、光学ドライブ７に記録可能な光ディスクが挿入されているかどうかを判断する。記録可能な光ディスクとは、読出し専用ではなく、書き込みが許可されており、かつ、完全削除対象の録画番組を記録可能な容量を備えた光ディスクを意味する。
【０１２１】
ステップＳ５３において、光学ドライブ７に記録可能な光ディスクが装着されている場合(Yes)はステップＳ５４に移行し、光学ドライブ７に記録可能な光ディスクが装着されていない場合(No)はステップＳ５５に移行する。
【０１２２】
ステップＳ５３でＹｅｓの場合に実行されるステップＳ５４において、自動削除制御部３７Ｂは記憶部４及び光学ドライブ７を制御して、一時保存領域４１に保存されている録画番組のうち、削除優先順位に従い一の録画番組をダビング対象として選択し、ダビング対象の録画番組を光学ドライブ７に装着された光ディスクにコピー転送するダビング処理を実行する。このダビング処理が削除番組事前退避処理となる。
【０１２３】
なお、コピー回数制限により光ディスクへのダビング処理が不可能な場合、ダビング対象の録画番組を記憶部４から光ディスクに移動させるムーブ処理を行ってもよい。なお、コピー回数制限に関する情報は番組情報管理部４２から取得することができる。
【０１２４】
ステップＳ５３でＮｏの場合あるいはステップＳ５４の直後に実行されるステップＳ５５において、自動削除制御部３７は、一時保存領域４１に保存されている録画番組のうち、削除優先順位に従い一の録画番組を完全削除対象として選択し、完全削除対象の録画番組を一時保存領域４１から完全削除する完全削除処理を実行する。
【０１２５】
なお、ステップＳ５４及びステップＳ５５の実行時に用いる削除優先順位は同一であるため、ステップＳ５４のダビング対象の録画番組と、ステップＳ５５の完全削除対象の録画番組とは同一の録画番組となる。なお、ステップＳ５４でムーブ処理が行われた場合、ステップＳ５５の完全削除処理は必然的に省略されることになる。
【０１２６】
削除優先順位は、実施の形態１と同様、例えば、録画した日時が古い順に録画番組を序列する順位、あるいは一時保存領域４１に移動された日時が古い順に録画番組を序列する順位が考えられる。また、削除優先順位を録画時間の長い順に録画番組を序列する順位としてもよい。
【０１２７】
また、実施の形態１と同様、削除優先順位を複数種準備しておき、ユーザーが自身の視聴スタイルに合わせてリモコン１０を操作して、複数種の削除優先順位から一の削除優先順位を選択できるようにしてもよい。
【０１２８】
ステップＳ５５の完全削除処理が終了すると再びステップＳ５１へ戻り、通常保存領域４３の録画残量が残量閾値を上回るか、一時保存領域４１に保存されている録画番組が無くなるまで、ステップＳ５１〜Ｓ５５の処理が繰り返される。
【０１２９】
（効果）
実施の形態２の録画再生装置２００は、実施の形態１の録画再生装置１００と同様な効果を奏し、さらに、以下の固有の効果を奏する。
【０１３０】
実施の形態２では、光学ドライブ７に記録可能な光ディスクを装着しておれば、通常保存領域４３の録画残量不足により完全削除される前に、一時保存領域４１に保存されている完全削除対象の録画番組を光ディスクに退避させることができる。
【０１３１】
実施の形態１の録画再生装置１００は、仮削除制御部３８が番組回復制御部として機能するため、リモコン１０を用いたユーザー操作によって、重要性が高い録画番組を一時保存領域４１から通常保存領域４３に戻す番組回復処理ができる。
【０１３２】
ユーザーが誤って重要性が高い録画番組に対し仮削除処理を行った場合でも、一時保存領域４１に録画番組が残存しているため、仮削除処理した録画番組が記憶部４から完全に削除されてしまうわけではない。
【０１３３】
しかしながら、録画再生装置１００を家族等で共有している場合、家族の一員である第１のユーザーが録画した特定の録画番組を視聴する前に、家族の別の一員である第２のユーザーが特定の録画番組の仮削除処理を行う場合も想定される。
【０１３４】
この場合、実施の形態１の録画再生装置１００は、第１のユーザーによるリモコン１０を用いたユーザー操作によって、特定の録画番組に対する番組回復処理を実行させる前に、通常保存領域４３の録画残量を確保するために、自動削除制御部３７の制御下で完全削除処理が実行され、特定の録画番組が完全削除されると回復不能となる可能性がある。
【０１３５】
一方、実施の形態２の録画再生装置２００によれば、上述したケースでも、ステップＳ５４が実行されることにより特定の録画番組を光ディスクに退避させる削除番組事前退避処理を実行することができる。このため、実施の形態２の録画再生装置２００は、第１のユーザーが視聴を所望する重要性の高い録画番組が回復不能となる可能性を、実施の形態１の録画再生装置１００に比べ低く抑えることができる。
【０１３６】
実施の形態２において、光ディスクを装着する光学ドライブ７に代えて、記憶部４とは独立した外付けＨＤＤ等の別途の補助記憶媒体を接続し、記憶部４からこの補助記録媒体に対しダビング処理もしくはムーブ処理を行うようにしてもよい。
【０１３７】
このように、実施の形態２の録画再生装置２００の自動削除制御部３７Ｂは、ステップＳ５５の完全削除処理の実行に先がけ、ステップＳ５４において完全削除対象の録画番組を、補助記録媒体である光ディスクに転送する削除番組事前退避処理を実行している。
【０１３８】
このため、実施の形態２の録画再生装置２００は、重要性の高い録画番組が回復不能となる可能性を、実施の形態１の録画再生装置１００以上に低く抑えることができる。
【０１３９】
実施の形態２のテレビジョン受信機２２は録画再生装置２００を内蔵しているため、ユーザーに負担を強いることなく、通常保存領域４３の録画残量を必要容量分、確実に確保し、かつ、ユーザーの意図に沿った補完処理として番組回復処理及び削除番組事前退避処理が行える効果を奏する。
【０１４０】
＜その他＞
上述した実施の形態１及び実施の形態２では、仮削除制御部３８を番組回復制御部として機能させたが、番組回復制御部を仮削除制御部３８と独立して別途設けることも可能である。
【０１４１】
また、実施の形態１及び実施の形態２の仮削除処理の実行制御内容に関し、図２におけるステップＳ２４、ステップＳ２５及びステップＳ２７の処理を省略し、ステップＳ２３でＹｅｓの場合に、直ちにステップＳ２６の仮削除処理を実行するようにしても良い。この場合、ユーザー操作を不要にして仮削除処理を自動的に行うことができる。
【０１４２】
なお、録画再生主要部３における第一デコード部３１、第二デコード部３２、記憶残量検出部３３、録画番組再生部３４、映像音声切替部３５、映像音声処理部３６、自動削除制御部３７，３７Ｂ、仮削除制御部３８、受信部５１の一部、切替指示部５２、ＯＳＤ合成部５３及び光ドライブ制御部７１は、ソフトウェアに基づくＣＰＵ（Central Processing Unit）を用いたプログラム処理によって実行される。
【０１４３】
なお、本発明は、その発明の範囲内において、各実施の形態を自由に組み合わせたり、各実施の形態を適宜、変形、省略したりすることが可能である。
【符号の説明】
【０１４４】
１  アンテナ、２  チューナー、３  録画再生主要部、４  記憶部、５  不揮発性メモリ、６  映像音声出力部、７  光学ドライブ、２１，２２  テレビジョン受信機、３１  第一デコード部、３２  第二デコード部、３３  記憶残量検出部、３４  録画番組再生部、３５  映像音声切替部、３６  映像音声処理部、３７，３７Ｂ  自動削除制御部、３８  仮削除制御部、４１  一時保存領域、４３  通常保存領域、５１  受信部、１００，２００  録画再生装置。
【図１】
2019133728.tif 000003
【図２】
2019133728.tif 000004
【図３】
2019133728.tif 000005
【図４】
2019133728.tif 000006
【図５】
2019133728.tif 000007